(57)【要約】【課題】軽度認知障害に関係する正負の感情の変動を検出する検出装置を実現する。【解決手段】この検出装置は、被験者の心拍情報を検出する検出部と、心拍情報から心拍間隔の揺らぎ度を示す最大リアプノフ指数を算出する算出部と、最大リアプノフ指数に基づいて、被験者の感情が脳疲労、不安もしくは抑うつがある負の感情であるか、又は脳疲労、不安及び抑うつがない正の感情であるかを判定する感情判定部と、所定期間における負の感情又は正の感情の発生頻度に基づいて被験者の正負感情の変動の有無を判定する変動判定部と、変動判定部の判定結果を出力する出力部とを有する。【選択図】図１
2020168415.tif 000002
【特許請求の範囲】
【請求項１】
被験者の心拍情報を検出する検出部と、
前記心拍情報から心拍間隔の揺らぎ度を示す最大リアプノフ指数を算出する算出部と、
前記最大リアプノフ指数に基づいて、前記被験者の感情が脳疲労、不安もしくは抑うつがある負の感情であるか、又は脳疲労、不安及び抑うつがない正の感情であるかを判定する感情判定部と、
所定期間における前記負の感情又は前記正の感情の発生頻度に基づいて前記被験者の正負感情の変動の有無を判定する変動判定部と、
前記変動判定部の判定結果を出力する出力部と、
を有することを特徴とする検出装置。
【請求項２】
前記所定期間は３か月以上の期間であり、
前記変動判定部は、前記負の感情の発生頻度として、前記負の感情の発生期間と発生時刻とに基づいて、前記被験者が軽度認知障害であるか否かを判定する、請求項１に記載の検出装置。
【請求項３】
前記変動判定部は、前記負の感情の発生回数の日内変動に基づいて前記被験者が軽度認知障害であるか否かを判定する、請求項２に記載の検出装置。
【請求項４】
前記検出部は、前記所定期間中、少なくとも１日当たり午前と午後の２回以上、前記被験者の操作によらずに前記被験者の顔の部位を連続して自動撮影し、得られた複数の画像の輝度変化に基づいて前記心拍情報を検出する、請求項２又は３に記載の検出装置。
【請求項５】
前記感情判定部は、連続して撮影された前記複数の画像内における前記部位の移動量が所定範囲内に収まっている場合に、当該複数の画像から検出された心拍情報に基づいて前記被験者の感情を判定する、請求項４に記載の検出装置。
【請求項６】
前記被験者の意識を集中させて前記被験者を前記正の感情に誘導する感情誘導部をさらに有し、
前記所定期間は、前記感情誘導部が誘導を継続している期間であり、
前記出力部は、前記感情誘導部の誘導中に前記感情判定部の判定結果を表示し、前記感情誘導部の誘導後に前記変動判定部の判定結果を表示する表示部である、請求項１に記載の検出装置。
【請求項７】
前記感情誘導部は、前記被験者が息を吸いかつ吸う速度よりも遅く息を吐く深呼吸を行うように促すことで、前記被験者の意識を呼吸に集中させる、請求項６に記載の検出装置。
【請求項８】
前記感情誘導部は、前記表示部への表示により、息を吸うタイミングと息を吐くタイミングとを前記被験者に報知する、請求項７に記載の検出装置。
【請求項９】
前記感情誘導部は、呼吸の周期よりも長いフレーズを含む音楽を再生することで、前記被験者の意識を前記音楽に集中させる、請求項６に記載の検出装置。
【請求項１０】
前記感情誘導部は、前記心拍情報から算出される前記被験者の心拍数に応じて前記音楽の再生ピッチを制御する、請求項９に記載の検出装置。
【請求項１１】
前記出力部は表示部であり、
入力部と、
前記被験者に入力操作を行わせて前記表示部上の表示物を加工させる課題を提示する提示部と、をさらに有し、
前記所定期間は、前記提示部が前記課題を提示している期間であり、
前記表示部は、前記課題を表示し、前記課題の終了後に前記変動判定部の判定結果を表示する、請求項１に記載の検出装置。
【請求項１２】
前記提示部が提示する難易度が互いに異なる複数の課題を記憶する記憶部と、
前記表示物に対する前記入力操作の量を検出する操作量検出部と、をさらに有し、
前記提示部は、前記所定期間における前記負の感情又は前記正の感情の発生頻度と、前記入力操作の量とに応じて、異なる難易度の課題を繰り返し提示する、請求項１１に記載の検出装置。
【請求項１３】
前記提示部は、前記課題として、前記表示部上に表示された複数の輪郭線で区分される複数の領域を着色する課題を提示する、請求項１１又は１２に記載の検出装置。
【請求項１４】
前記提示部は、前記課題として、前記表示部上に表示された文字を前記表示部上に書き写す課題を提示する、請求項１１又は１２に記載の検出装置。
【請求項１５】
前記表示部は、前記変動判定部の判定結果として、前記所定期間中における前記正の感情の発生頻度に基づく前記負の感情から前記正の感情への改善度を表示する、請求項６〜１４の何れか一項に記載の検出装置。
【発明の詳細な説明】
【技術分野】
【０００１】
本発明は、認知症の早期症状である軽度認知障害（Mild Cognitive Impairment）（以下、「ＭＣＩ」という）に関係する正負の感情の変動を検出する検出装置に関する。
【背景技術】
【０００２】
特許文献１には、利用者の生体現象をデータとして計測しこれを連続モニタリングしながら、予めスコア化された判定用スコアリングテーブルの利用者固有の判定用スコアデータと比較して疾病発症予知レベルを判定して、該疾病発症予知レベルを利用者に通報する疾病発症予知通報システム及び方法が開示されている。
【０００３】
特許文献２には、生体情報を計測する生体情報計測部と、生体情報を受けてアトラクタを構成するアトラクタ構成手段と、アトラクタに基づいてリアプノフ指数とその特性値を算出する特性値算出手段と、その特性値に基づいて意思疎通又は痴呆度などの精神的免疫度を判定する判定手段とを備える精神的免疫度の測定装置が開示されている。
【０００４】
特許文献３には、被診断者の心電を測定する手段と、被診断者に対する負荷試験を指示する手段と、測定された心電データに基づいて心電図Ｒ−Ｒ間隔変動係数を算出する手段と、算出された負荷試験後の心電図Ｒ−Ｒ間隔変動係数の値が負荷試験前の値よりも小さい場合に精神疾患の可能性があると判定する手段と、判定結果を表示する手段とを備える精神疾患診断装置及びプログラムが開示されている。
【０００５】
特許文献４，５には、循環器に関する被測定者の生体信号を検知し、検知された生体信号から被測定者の心拍間隔の揺らぎ度を算出し、算出された揺らぎ度に基づき、心拍間隔の揺らぎ度と脳疲労度との対応関係を参照して被測定者の脳疲労度を取得し、疲労度に関する情報を出力する疲労度計が開示されている。
【先行技術文献】
【特許文献】
【０００６】
【特許文献１】特開２００２−１４３０９７号公報
【特許文献２】特開２００６−２０４５０２号公報
【特許文献３】特開２０１２−０４５１６２号公報
【特許文献４】特開２０１７−０６３９６３号公報
【特許文献５】特開２０１７−０６３９６６号公報
【発明の概要】
【発明が解決しようとする課題】
【０００７】
認知症は一旦発症すると元に戻らない病気であり、進行するとコミュニケーション能力の喪失などで通常の社会生活を営むことが困難になるなど、極めて重篤な精神疾患といわれている。認知症は、発症以前の早期症状であるＭＣＩの段階で検出することができれば、薬で発症を止めたり遅らせたりすることが可能である。しかしながら、これまでＭＣＩの判定又は検出を可能とする技術の開示はなく、特許文献１〜３の技術も、単に発症に対する精神免疫度や痴呆症状を検出するものに過ぎない。
【０００８】
ＭＣＩになるともの忘れと抑うつ感情が頻出するが、もの忘れは、老齢によるもの忘れと区別が付き辛く、抑うつ感情も、老齢性うつ病による仮性認知症と一般には見分けが難しい。しかしながら、ＭＣＩと仮性認知症では、脳疲労、不安又は抑うつなどがある負の感情の発生パターンに差異があることが知られている。認知症の発症を早期に検出し、症状の進行や悪化を最小限にするためには、負の感情又はその反対である正の感情の変動を速やかかつ確実に検出することが求められる。
【０００９】
本発明の目的は、軽度認知障害に関係する正負の感情の変動を検出する検出装置を実現することである。
【課題を解決するための手段】
【００１０】
被験者の心拍情報を検出する検出部と、心拍情報から心拍間隔の揺らぎ度を示す最大リアプノフ指数を算出する算出部と、最大リアプノフ指数に基づいて、被験者の感情が脳疲労、不安もしくは抑うつがある負の感情であるか、又は脳疲労、不安及び抑うつがない正の感情であるかを判定する感情判定部と、所定期間における負の感情又は正の感情の発生頻度に基づいて被験者の正負感情の変動の有無を判定する変動判定部と、変動判定部の判定結果を出力する出力部とを有することを特徴とする検出装置が提供される。
【００１１】
所定期間は３か月以上の期間であり、変動判定部は、負の感情の発生頻度として、負の感情の発生期間と発生時刻とに基づいて、被験者が軽度認知障害であるか否かを判定することが好ましい。変動判定部は、負の感情の発生回数の日内変動に基づいて被験者が軽度認知障害であるか否かを判定することが好ましい。
【００１２】
検出部は、所定期間中、少なくとも１日当たり午前と午後の２回以上、被験者の操作によらずに被験者の顔の部位を連続して自動撮影し、得られた複数の画像の輝度変化に基づいて心拍情報を検出することが好ましい。感情判定部は、連続して撮影された複数の画像内における部位の移動量が所定範囲内に収まっている場合に、その複数の画像から検出された心拍情報に基づいて被験者の感情を判定することが好ましい。
【００１３】
上記の検出装置は、被験者の意識を集中させて被験者を正の感情に誘導する感情誘導部をさらに有し、所定期間は、感情誘導部が誘導を継続している期間であり、出力部は、感情誘導部の誘導中に感情判定部の判定結果を表示し、感情誘導部の誘導後に変動判定部の判定結果を表示する表示部であることが好ましい。
【００１４】
感情誘導部は、被験者が息を吸いかつ吸う速度よりも遅く息を吐く深呼吸を行うように促すことで、被験者の意識を呼吸に集中させることが好ましい。感情誘導部は、表示部への表示により、息を吸うタイミングと息を吐くタイミングとを被験者に報知することが好ましい。
【００１５】
感情誘導部は、呼吸の周期よりも長いフレーズを含む音楽を再生することで、被験者の意識を音楽に集中させることが好ましい。感情誘導部は、心拍情報から算出される被験者の心拍数に応じて音楽の再生ピッチを制御することが好ましい。
【００１６】
出力部は表示部であり、上記の検出装置は、入力部と、被験者に入力操作を行わせて表示部上の表示物を加工させる課題を提示する提示部とをさらに有し、所定期間は、提示部が課題を提示している期間であり、表示部は、課題を表示し、課題の終了後に変動判定部の判定結果を表示することが好ましい。
【００１７】
上記の検出装置は、提示部が提示する難易度が互いに異なる複数の課題を記憶する記憶部と、表示物に対する入力操作の量を検出する操作量検出部とをさらに有し、提示部は、所定期間における負の感情又は正の感情の発生頻度と、入力操作の量とに応じて、異なる難易度の課題を繰り返し提示することが好ましい。
【００１８】
提示部は、課題として、表示部上に表示された複数の輪郭線で区分される複数の領域を着色する課題を提示するか、表示部上に表示された文字を表示部上に書き写す課題を提示することが好ましい。表示部は、変動判定部の判定結果として、所定期間中における正の感情の発生頻度に基づく負の感情から正の感情への改善度を表示することが好ましい。
【発明の効果】
【００１９】
上記の検出装置は、ＭＣＩに関係する正負の感情の変動を検出することができる。
【図面の簡単な説明】
【００２０】
【図１】検出装置１の使用状態を示す斜視図である。
【図２】（Ａ）及び（Ｂ）は撮像部１０の外観を示す斜視図である。
【図３】検出装置１のブロック図である。
【図４】（Ａ）〜（Ｃ）は脈波から負の感情を判定する原理を説明するためのグラフである。
【図５】（Ａ）〜（Ｄ）は検出装置１の検出結果の表示例を示すグラフである。
【図６】検出装置１の動作例を示すフローチャートである。
【図７】別の撮像部１０ａを用いた検出装置１の使用状態を示す斜視図である。
【図８】予防装置２のブロック図である。
【図９】予防装置２の表示画面の例を示す図である。
【図１０】予防装置２の動作例を示すフローチャートである。
【図１１】（Ａ）〜（Ｄ）は感情誘導の有無による正負感情の変動の差異を示すグラフである。
【図１２】予防装置３のブロック図である。
【図１３】（Ａ）〜（Ｆ）は予防装置３が提示する課題の例を示す図である。
【図１４】（Ａ）〜（Ｃ）は課題の難易度による正負感情と入力操作の量の変動の差異を示すグラフである。
【図１５】予防装置３の動作例を示すフローチャートである。
【図１６】（Ａ）〜（Ｄ）は検出部１０ｂ，１０ｃを示す図である。
【発明を実施するための形態】
【００２１】
以下、図面を参照して各実施形態を説明する。図面では、同一の要素には同一の番号を付与する。図形は説明のため誇張して書くことがある。以下の実施形態及び図面は一例であって、発明の主旨を損なわない範囲であれば他の形態も可能である。
【００２２】
図１は、検出装置１の使用状態を示す斜視図である。
図１に示すように、検出装置１は、撮像部１０と情報端末５とを備える。図示した例では、撮像部１０はスマートホンなどの携帯端末であり、情報端末５はノート型パーソナルコンピュータである。ただし、特にこれに限らず、撮像部１０としてタブレット端末又はデジタルカメラを用いてもよく、情報端末５としてタブレット端末又は専用の処理装置を用いてもよい。あるいは、撮像部１０と情報端末５は一体化されていてもよい。
【００２３】
検出装置１は、認知症発症後の認知症レベルを測定する装置ではなく、あくまで、認知症発症前の早期症状であるＭＣＩの発現の有無を検出する装置である。ＭＣＩの人にも仮性認知症の人にも、脳疲労、不安又は抑うつ（以下、「負の感情」という）やもの忘れが現れる。しかしながら、仮性認知症は自律神経異常による疾患のため、負の感情の発生回数の日内変動が生じやすく、症状の継続は週〜月単位であるのに対し、ＭＣＩでは、負の感情の発生回数に日内変動はなく、数日〜数か月の期間にわたって負の感情が持続することが知られている。
【００２４】
例えば特許文献４，５に開示されているように、心拍又は脈波の間隔の時系列データから心拍間隔の揺らぎ度を示す最大リアプノフ指数を算出し、その値から脳疲労、不安又は抑うつの程度を定量化する手法が知られている。実際には、心拍よりも脈拍の方がより簡易に測定でき、脈波間隔を心拍間隔として用いても、感情変動の傾向を見る目的上は特に問題はない。そこで、検出装置１は、被験者の脈波を例えば毎日、少なくとも午前と午後の１回ずつ測り、脈波間隔の揺らぎ度を示す最大リアプノフ指数を算出し、その値に基づいて、被験者に負の感情が発生しているか否かを判定する。そして、検出装置１は、月単位の負の感情の発生頻度（負の感情の発生パターン）から数か月程度の期間における負の感情の継続性を判定し、ＭＣＩに特有の兆候を検出した場合には外部に通報する。
【００２５】
図２（Ａ）及び２（Ｂ）は、撮像部１０の外観を示す斜視図である。図２（Ｂ）では、撮像部１０を保持するスタンド９０に撮像部１０が設置された状態を示している。図２（Ａ）に示すように、撮像部１０は、撮像素子１１と、撮像部１０の動作を設定するための表示部付タッチパネル１９とを備える。図２（Ｂ）に示すように、スタンド９０は、充電コネクタ９１を内蔵しており、電源ケーブル９２が商用電源に接続されることで撮像部１０を充電する機能を備える。
【００２６】
特に高齢者の中には、測定に対する恐怖感を抱く人や、測定時のセンサ装着などの測定行為そのものに抵抗を感じる人、測定説明を聞いただけで一時的に負の感情が現れる人などが存在し、適正に負の感情が測定できないことがある。そこで、検出装置１は、測定自体がストレスにならないように、撮像素子（カメラ）１１を有する撮像部１０を用いて、被験者の皮膚の露出部分（例えば、顔の額又は頬などの部位）を撮影する。そして、検出装置１は、得られた画像から血流に同期した輝度変化を抽出することで、被験者に対して非接触で、かつ被験者が無意識のまま、被験者の心拍情報である脈波信号を自動的に検出する。
【００２７】
撮像素子１１は、例えばＣＭＯＳ（Complementary Metal Oxide Semiconductor）型又はＣＣＤ（Charge Coupled Device）型のイメージセンサである。撮像素子１１は、測定の度に、図１に示すように、例えば被験者ＨＫの額における測定枠Ｓａの画像Ｇｒを、被験者の操作によらずに連続して複数枚、自動撮影する。撮像部１０は、内蔵する顔認識のアプリケーションプログラムによって、被験者ＨＫの額の測定枠Ｓａを自動的に追尾する機能を有している。これにより、被験者ＨＫが撮像部１０の設置領域内で動き回っても、被験者ＨＫの脈波を捉えることが可能である。図１に示すように、撮像部１０は、撮影した被験者ＨＫの画像データを、内蔵する無線通信機能により電波ＲＷを介して情報端末５に送信する。
【００２８】
図３は、検出装置１のブロック図である。図３に示すように、検出装置１の情報端末５は、感情検出部２０と、判定部３０と、報知部４０と、計時部５０とを備える。感情検出部２０は、顔認識部２１と、脈波抽出部２２と、間隔検出部２３と、脈波メモリ２４と、カオス解析部２５と、測定値判定部２６と、個人認識部２７とを備える。判定部３０は、感情判定部３１と、感情データメモリ３２と、ＭＣＩ判定部３３とを備える。報知部４０は、表示部４１と、送信部４２とを備える。このうち、脈波メモリ２４及び感情データメモリ３２はハードディスク又は半導体メモリで構成され、表示部４１は液晶表示ディスプレイで構成され、計時部５０は公知の時計回路で構成される。その他の要素は、ＣＰＵ、ＲＯＭ及びＲＡＭなどを含む情報端末５内のマイクロコンピュータにより、ソフトウエアとして実現される。
【００２９】
顔認識部２１は、撮像素子１１が撮影した被験者ＨＫの画像Ｇｒに対して輪郭検知アルゴリズム又は特徴点抽出アルゴリズムを用いて顔の様態を分析し、額などの皮膚露出部分を測定部位として特定する。顔認識部２１は、その測定部位における皮膚色を示すデータである時系列信号Ｅ１を、脈波抽出部２２、測定値判定部２６及び個人認識部２７に出力する。
【００３０】
脈波抽出部２２は、時系列信号Ｅ１から被験者ＨＫの脈波信号を抽出し、その信号を間隔検出部２３に出力する。被験者ＨＫの額における測定枠Ｓａの内部には毛細動脈が集中しているので、画像Ｇｒには被験者ＨＫの血流に同期した輝度変化成分が含まれている。特に、画像Ｇｒの緑色光の輝度変化成分に脈波（血流変化）が最も反映されているので、脈波抽出部２２は、人の脈波が有する略０．５〜３Ｈｚの周波数を通過させるバンドパスフィルタを用いて、時系列信号Ｅ１の緑色光の輝度変化成分から脈波信号を抽出する。
【００３１】
撮像部１０、顔認識部２１及び脈波抽出部２２は、被験者の心拍情報を検出する検出部の一例である。ただし、検出部の機能は必ずしも撮像部１０と情報端末５に分かれていなくてもよく、例えば、顔認識部２１と脈波抽出部２２の機能を撮像部１０に持たせてもよいし、撮像部１０を情報端末５に含めてもよい。
【００３２】
図４（Ａ）〜４（Ｃ）は、脈波から負の感情を判定する原理を説明するためのグラフである。このうち、図４（Ａ）は脈波信号ＰＷの波形例を示し、横軸ｔは時間（ミリ秒）、縦軸Ａは脈波の振幅の強さである。図４（Ａ）に示すように、脈波信号ＰＷは、心臓の拍動による血流量の変動を反映した三角波状であり、最も血流量が強いピーク点Ｐ１〜Ｐｎの間隔を脈波間隔ｄ１〜ｄｎとする。
【００３３】
間隔検出部２３は、被験者ＨＫの脈波信号ＰＷのピーク点Ｐ１〜Ｐｎを検出し、計時部５０を用いて脈波間隔ｄ１〜ｄｎをミリ秒単位で算出し、さらに脈波間隔ｄ１〜ｄｎから脈波間隔の時系列データを生成する。
【００３４】
脈波メモリ２４は、間隔検出部２３により検出された脈波間隔ｄ１〜ｄｎを脈波間隔の時系列データとして記憶する。
【００３５】
図４（Ｂ）は、脈波間隔の揺らぎ度の例を示すグラフである。このグラフはローレンツプロットと呼ばれ、横軸を脈波間隔ｄｎ、縦軸を脈波間隔ｄｎ−１（ともに単位はミリ秒）とし、ｎ＝１，２，・・・について座標（ｄｎ、ｄｎ−１）上に脈拍間隔の時系列データをプロットしたものである。図４（Ｂ）のグラフにおけるドットのバラつき度合いが被験者ＨＫの脳疲労度を反映することが知られているので、表示部４１に図４（Ｂ）のデータ散布図を表示すれば、被験者ＨＫの測定中の脳疲労度を簡易的にモニタすることも可能である。
【００３６】
カオス解析部２５は、脈波メモリ２４に記憶された脈波間隔の時系列データ、すなわち、図４（Ｂ）のローレンツプロットにおける座標（ｄｎ、ｄｎ−１）を用いて、以下の式１により最大リアプノフ指数λを算出する。
【数１】
2020168415.tif 000003
ここで、Ｍは脈波間隔ｄ１〜ｄｎにおける総サンプル時間、ｄは時系列データの時刻ｋと時刻ｋ−１とのパターン間距離（ローレンツプロットにおける２次元平面上の距離）である。カオス解析部２５は、さらに、測定値判定部２６から測定値が有効であることを示すデータを取得した場合にのみ、算出した最大リアプノフ指数λを感情判定部３１に出力する。間隔検出部２３及びカオス解析部２５は、心拍情報から心拍間隔の揺らぎ度を示す最大リアプノフ指数を算出する算出部の一例である。
【００３７】
測定値判定部２６は、顔認識部２１から時系列信号Ｅ１を取得する度に、以下の２つの判断基準が満たされているか否かを判定し、それらが両方とも満たされている場合に、測定値が有効であることを示すデータをカオス解析部２５に出力する。判断基準の１つ目は、時系列信号Ｅ１のデータに予め定められた個数分、連続性があり、かつ画像Ｇｒの測定枠Ｓａの移動量が所定範囲内に収まっていることであり、これは測定データが安静時のものであるか否かを見分けるための条件である。判断基準の２つ目は、画像Ｇｒ内に被験者ＨＫ以外の顔がないことであり、これは近くに他の人がいないことを確認するための条件である。
【００３８】
個人認識部２７は、顔認識部２１から取得した画像データを基に、予め検出装置１に登録されている個人認証データを参照して、被験者が登録されている本人であることを確認し、その確認ができた場合にその旨を感情判定部３１に通知する。
【００３９】
図４（Ｃ）は、心拍又は脈波の間隔の揺らぎ度を示す最大リアプノフ指数と負の感情との関係を示すグラフである。このグラフは、成人男女１０人を対象に問診アンケートを行って、疲れをどの程度感じるか、及び疲れが脳疲労、不安又は抑うつと感じる状態であるか否かを回答させるとともに、同じ被験者について脈波間隔の最大リアプノフ指数λを測定し、得られた回答内容とλの値との関係をまとめたものである。Ｆ０は「疲れなし」に、Ｆ１は「年齢相当の疲れあり」に、Ｆ２は「一時的な疲れあり」に、Ｆ３は「慢性的な疲れあり」に、Ｆ４は「負の感情あり」にそれぞれ相当する。グラフの縦軸は最大リアプノフ指数λである。
【００４０】
図４（Ｃ）から、最大リアプノフ指数は、単なる疲れの状態では０に近い絶対値の小さい値であるが、負の感情があるとマイナスで絶対値の大きな値となることが分かる。当該成人男女１０名に関しては、測定のばらつきを考慮して、負の感情を感じるか否かの最大リアプノフ指数の閾値を−０．６程度に設定することができる。
【００４１】
感情判定部３１は、カオス解析部２５から取得した最大リアプノフ指数λが以下の式２を満たす場合に、被験者に負の感情が発生していると判定し、λが式２を満たさない場合には、被験者に負の感情が発生していないと判定する。
λ≦λｔ                                              ・・・式２
ここで、閾値λｔは−０．６であるが、検出装置１に求められる特性によっては他の値を用いることがある。感情判定部３１は、負の感情が発生していると判定した場合に、その旨を、測定日時の情報及び被験者に固有の識別情報と対応付けて、感情データメモリ３２に記憶する。その際、最大リアプノフ指数λの値も併せて感情データメモリ３２に記憶してもよい。感情判定部３１は、最大リアプノフ指数に基づいて、被験者の感情が脳疲労、不安もしくは抑うつがある負の感情であるか否かを判定する感情判定部の一例である。
【００４２】
ＭＣＩ判定部３３は、感情データメモリ３２に記憶された情報を基に、被験者の負の感情の発生頻度を月単位で午前と午後で分けて集計する。そして、ＭＣＩ判定部３３は、集計により得られた負の感情の発生パターンに基づき、表１に示す判定条件に従って、被験者がＭＣＩか又はそれ以外であるかを次のように判定する。
・負の感情の発生回数が月間２０回以下であれば、発生時刻や発生期間に係わらず正常である。
・負の感情の発生回数に係わらず発生時刻が午前か午後の何れか一方のみであるか、又は負の感情の発生期間が月間２０回以上でも継続が３か月間未満であれば、仮性認知症である。
・午前及び午後の両方で負の感情の発生期間が月間２０回以上であり、かつそれが３か月間以上継続していれば、ＭＣＩである。
【００４３】
ここで、負の感情の発生回数とは、最大リアプノフ指数λの測定値が上記の式２を満たした回数のことである。表１に示した負の感情の発生回数、発生期間、発生時刻及び継続期間の条件は一例であり、検出装置１に求められる特性に応じて他の数値を選択してもよい。ＭＣＩ判定部３３は、所定期間（表１の例では３か月以上の期間）における負の感情の発生頻度に基づいて被験者の正負感情の変動の有無を判定する変動判定部の一例である。
【００４４】
【表１】
2020168415.tif 000004
【００４５】
報知部４０は、ＭＣＩ判定部３３の判定結果を表示部４１に表示させる。特に、報知部４０は、ＭＣＩ判定部３３がＭＣＩであると判定した場合に、その旨の警告を表示部４１に表示させるとともに、送信部４２を介して外部に送信する。報知部４０は、変動判定部の判定結果を出力する出力部の一例である。
【００４６】
図５（Ａ）〜５（Ｄ）は、検出装置１の表示例を示すグラフである。図５（Ａ）は正常の被験者に、図５（Ｂ）は仮性認知症の被験者に、図５（Ｃ）は図５（Ｂ）とは別の仮性認知症の被験者に、図５（Ｄ）はＭＣＩの被験者に、それぞれ検出装置１を適用した結果であり、これらのグラフは表示部４１に表示される。各図の横軸Ｍは検出装置１を適用した月であり、「１」は適用開始月、「８」は適用最終月である。縦軸Ｎは負の感情の月間の発生回数であって、白抜きの棒グラフは午前（ＡＭ）における負の感情の発生回数、黒抜きの棒グラフは午後（ＰＭ）における負の感情の発生回数である。
【００４７】
図５（Ａ）の例では、適用開始月から適用最終月までの間、負の感情の発生回数が２０回以下である。これは、表１に示す「正常」の範囲内であるので、検出装置１は、正常であることを示す「−」をグラフの左上に表示する。
【００４８】
図５（Ｂ）の例では、適用開始月から５か月間は負の感情の発生回数が２０回以下であり、開始６か月目から適用最終月までの間は負の感情の発生回数が２０回以上であるものの、それは午前に集中している。これは、表１に示す「仮性認知症」の一方の条件である「月間の回数に係わらず午前、午後の何れか一方」に該当するので、検出装置１は、仮性認知症であることを示す「±」をグラフの左上に表示する。
【００４９】
図５（Ｃ）の例では、午前及び午後の何れにおいても負の感情の発生回数が２０回以上の月があるが、それらは３か月間継続していない。これは、表１に示す「仮性認知症」の他方の条件である「月間２０回以上で継続が３か月未満」に該当するので、検出装置１は、図５（Ｂ）と同様に「±」と表示する。
【００５０】
図５（Ｄ）の例では、適用開始６か月目から適用最終月までの間、午前及び午後の何れにおいても３か月間継続して負の感情の発生回数が２０回以上である。これは、表１に示す「ＭＣＩ」の条件である「月間２０回以上で継続が３か月以上」かつ「午前及び午後で月間２０回以上」に該当するので、検出装置１は、ＭＣＩであることを示す「＋」をグラフの左上に表示する。
【００５１】
図６は検出装置１の動作を示すフローチャートである。まず、使用者により情報端末５の電源が投入されると、情報端末５は電波ＲＷによって撮像部１０の電源を投入する（Ｓ１）。こうして検出装置１の電源が投入されると、撮像部１０は撮像素子１１によって被験者ＨＫの測定枠Ｓａの画像Ｇｒを撮影し、その画像データを情報端末５に送信する（Ｓ２）。続いて、顔認識部２１は被験者ＨＫの画像データから測定部位を特定し、個人認識部２７は被験者ＨＫを識別する（Ｓ３）。脈波抽出部２２は、顔認識部２１が特定した測定部位の皮膚色の時系列信号Ｅ１から被験者ＨＫの脈波信号を抽出する（Ｓ４）。間隔検出部２３は、Ｓ４の脈波信号から脈波間隔を算出してその時系列データを生成し、その時系列データを脈波メモリ２４に記憶させる（Ｓ５）。
【００５２】
次に、カオス解析部２５は、Ｓ５で記憶された脈波間隔の時系列データに基づいて脈波間隔の最大リアプノフ指数λを算出する（Ｓ６）。感情判定部３１は、その値を閾値λｔと比較し（Ｓ７）、λがλｔ以下である場合（Ｓ７でＹｅｓ）には、負の感情が発生したと判定して、その旨を測定日時などの情報と対応付けて感情データメモリ３２に記憶する（Ｓ８）。
【００５３】
さらに、ＭＣＩ判定部３３は、負の感情の発生頻度を月単位で集計し、その集計値が正常、仮性認知症又はＭＣＩの何れの条件を満たしているか判定する（Ｓ９）。Ｓ９でＭＣＩと判定された場合（Ｓ９でＹｅｓ）には、報知部４０は、その旨の警告を表示部４１に表示させるとともに、送信部４２を介して外部に送信する（Ｓ１０）。その後、情報端末５は、撮像部１０による被験者の測定を継続するか中止するかを判断する（Ｓ１１）。継続する場合（Ｓ１１でＮｏ）にはＳ２に戻り、中止する場合（Ｓ１１でＹｅｓ）には、情報端末５は撮像部１０の動作を停止させて、一連の処理を終了する。
【００５４】
検出装置１は、撮像部１０を用いて、被験者に対して非接触で、かつ被験者が無意識のまま脈波を測定するため、被験者ＨＫには測定によるストレスが発生しない。例えば光電式センサを用いて脈拍を測定する場合には、指先とセンサとの接触を一定に保たなくてはならないという制約によって被験者にストレスが発生し、このストレスが測定結果に影響することがあるが、検出装置１ではこのような問題は生じない。また、検出装置１では、撮像部１０を被験者ＨＫの傍らに置いておけば自動測定が可能となり、被験者の行動が束縛されない。さらに、必ずしもリアルタイムで測定する必要はなく、撮像素子１１で撮像した動画データを用いて後からＭＣＩの判定を行うことも可能であるため、被験者に測定を意識させずに自然な状態での脈波信号を取得することができる。
【００５５】
検出装置１は、正常、仮性認知症及びＭＣＩの各状態の検出を確実かつ正確に行うことが可能であり、被験者の精神疾患状態の継時的変化を容易に把握可能にする。特に、検出装置１では、ＭＣＩの特徴である負の感情の午前及び午後での発生状況を定量的に捉えられるので、ＭＣＩに酷似する老齢性うつ病による仮性認知症との判別が可能である。例えば図５（Ｄ）に示す例では、適用開始５か月目と６か月目の中間時期Ｈｔにおいて被験者がＭＣＩを発症したとの推定が可能であり、検出装置１はＭＣＩの臨床診断においても有用である。
【００５６】
図７は、別の撮像部１０ａを用いた検出装置１の使用状態を示す斜視図である。撮像部１０ａは、図１の撮像部１０に個人特定機能が加わったものである。撮像部１０ａを用いる場合には、図７に示すように、複数の被験者のそれぞれが、例えば胸部などに、被験者毎に異なる形状の個人特定マークを着ける。図示した例では、被験者ＨＫは星形の形状の個人特定マークＮｍを着けているが、個人特定マークとしては文字又は記号が記載されたものを用いてもよい。撮像部１０ａは、撮像素子１１が撮影した画像Ｇｒ内の個人特定マークＮｍを画像認識により特定し、予め登録された複数人の中から測定対象の被験者ＨＫを特定したのち、被験者ＨＫの識別情報と測定枠Ｓａの画像Ｇｒとを１組のデータ群として情報端末５に送信する。
【００５７】
撮像部１０ａを用いれば、複数の被験者を個々に特定し、各被験者について個別にＭＣＩを検出することが可能である。このため、例えば介護施設などにおいて複数人で検出装置１を共有することができるので、ＭＣＩの検出を効率的かつ廉価に行うことができる。
【００５８】
認知機能低下に対する防御因子としては、有酸素運動や、行動日記を付けるなどの認知療法は効果があることが知られている。しかしながら、有酸素運動や認知療法は、中高年や高齢者では実践できる人が限定されてしまい、現在のところ、ＭＣＩの段階で万人が実践できる認知症の予防法や、ＭＣＩの改善法は知られていない。検出装置１はＭＣＩを検出できるが、検出だけでなく、誰でも実践できＭＣＩの段階で認知症の発症を予防できるような付加機能があることが好ましい。
【００５９】
近年、脳機能を改善する方法として、マインドフルネスストレス低減法（ＭＢＳＲ）やマインドフルネス認知療法（ＭＢＣＴ）などが医療に応用されている。マインドフルネス（mindfulness）とは、今現在起こっている内面的な経験及び外的な経験に注意を向ける心理的な過程を言う。マインドフルネスの状態になれば、負の感情から正の感情（脳疲労、不安及び抑うつがない状態、あるいは心拍間隔の揺らぎ度を示す最大リアプノフ指数が０又は正の状態）に転換されるので、上記の手法は適正に実施されれば脳機能の改善に効果がある。しかしながら、マインドフルネスを実現するには、指導者の主観的な指導の下で行われる瞑想的手法その他の訓練が必要であり、実施者が効果を実感しづらく、適正な実施が難しい。
【００６０】
そこで、以下では、検出装置１のＭＣＩ判定とマインドフルネス療法とを応用し、認知症が進行しないように、健常者及びＭＣＩ段階の人が受動的に予防改善をすることができる装置について説明する。
【００６１】
図８は、予防装置２のブロック図である。予防装置２は、検出装置の一例であり、例えばスマートホン又はタブレット端末などで構成される。予防装置２は、撮像部１１０と、感情検出部１２０と、判定部１３０と、感情誘導部１４０と、表示部１５０と、スピーカ１６０と、計時部１７０とを備える。予防装置２は、使用者に対して呼吸誘導と音楽再生による感情誘導を行うことにより、使用者の意識を集中させて脳をマインドフルネス状態に（すなわち、負の感情を正の感情に）転換させるとともに、誘導中の正負感情の変動を使用者にフィードバックする。
【００６２】
撮像部１１０は、検出装置１の撮像部１０と同様に、使用者の脈波を検出するために、使用者の皮膚の露出部分を撮影する。撮像部１１０は、予防装置２内に一体化されているが、検出装置１と同様に、予防装置を構成するタブレット端末などとは別体になっていてもよい。あるいは、撮像部１１０に代えて、使用者の心電波又は脈波を検出するセンサを用いてもよい。
【００６３】
感情検出部１２０は、検出装置１のものと同じ顔認識部２１、脈波抽出部２２、間隔検出部２３、脈波メモリ２４及びカオス解析部２５を備え、感情誘導部１４０による誘導中に、例えば数十秒間隔で、脈波間隔の最大リアプノフ指数を算出する。予防装置２では、感情検出部１２０は、心拍数算出部２８をさらに備える。心拍数算出部２８は、最大リアプノフ指数の算出と同様に一定間隔で、間隔検出部２３により得られた脈波間隔から使用者の心拍数（脈拍数）を算出する。
【００６４】
判定部１３０は、感情判定部３１と、感情データメモリ３２と、効果判定部３４とを備える。感情判定部３１及び感情データメモリ３２は検出装置１のものと同様である。ただし、予防装置２の感情判定部３１は、カオス解析部２５から取得した最大リアプノフ指数λが式２を満たさない場合には、使用者に正の感情が発生していると判定する。さらに、感情判定部３１は、感情誘導部１４０による誘導中に感情判定部３１により判定された使用者の感情状態（負の感情と正の感情の何れであるか）を表示部１５０に表示させる。あるいは、感情判定部３１は、最大リアプノフ指数λの値の大小に応じて、使用者の感情状態を例えば「正の感情（ストレスフリー）」、「活動中」、「軽い負の感情（軽疲労状態）」及び「負の感情（疲労状態）」４つに分け、使用者が何れの区分に属するかを表示してもよい。
【００６５】
効果判定部３４は、変動判定部の一例であり、感情誘導部１４０が誘導を継続している期間（誘導期間）における使用者の正負感情の変動の有無を判定する。そのために、効果判定部３４は、感情データメモリ３２を参照して、誘導期間中における正の感情の発生率を算出し、その値を、予防装置２の使用によるマインドフルネスの達成率（負の感情から正の感情への改善度）として、表示部１５０に表示させる。正の感情の発生率は、（正の感情と判定された回数）／（感情判定部３１が判定を行った回数）で定義される値である。すなわち、効果判定部３４は、使用者が予防装置２を使用することで感情状態がどの程度改善されたかを数値化して、使用者にフィードバックする。
【００６６】
感情誘導部１４０は、呼吸誘導部１４１と、音楽再生部１４２とを備え、使用者を無心化させ、意識を呼吸及び音楽に集中させることで、使用者を正の感情に誘導する。
【００６７】
呼吸誘導部１４１は、被験者が息を吸いかつ吸う速度よりも遅く息を吐く深呼吸を行うように促すことで、被験者の意識を呼吸に集中させる。速く吸って遅く吐く深呼吸をすると、横隔膜を刺激し、結果として自律神経が安定するので、正の感情への感情状態の改善に効果がある。この深呼吸は、例えば２秒で吸って６秒で吐くなど、吐く期間が吸う期間の２〜３倍となる呼気延長深呼吸であることが好ましい。そこで、呼吸誘導部１４１は、表示部１５０への表示により、息を吸うタイミングと息を吐くタイミングとを使用者に報知する。その際、例えば、後述する図９に示すように、吸う期間と吐く期間の最初から最後まで徐々に長さが変化するバーを表示してもよい。人は、動いているものや変化しているものに意識を集中する習性があるので、こうしたバーの変化を目で追わせることで、意識が表示や呼吸に集中し、負の感情のことを考えなくなる無心化の効果が得られる。
【００６８】
音楽再生部１４２は、呼吸の周期よりも長いフレーズを含む音楽を再生することで、使用者の意識を音楽に集中させる。音楽再生部１４２が再生する曲は、フレーズ周期が呼吸誘導部１４１による誘導呼吸の周期よりも長い曲とする。これは、フレーズ周期が誘導呼吸の周期よりも短いと、表示部１５０の表示バーではなく曲の方に呼吸が合ってしまい、誘導呼吸の効果が半減してしまうためである。
【００６９】
このフレーズ周期の条件に加えて、音楽再生部１４２が再生する曲は、次の３つの条件のうち少なくとも１つを有することが好ましい。
（１）曲のテンポ音が４〜６ｋＨｚのビートで構成されている。
（２）曲の音階の周波数分布の中心が５２８Ｈｚである。
（３）曲のテンポの感覚的ＢＰＭ（Beats Per Minute）と安静心拍数のＢＰＭが一致する。
これらは、自律神経安定に効果があると言われている複数の曲が共通して有する条件である。（１）は、背骨及び脳幹に共鳴し易いビート音の周波数が４〜６ｋＨｚであるためであり、（２）は、細胞が自己修復する周波数が５２８Ｈｚと言われているためである。（３）は、曲のテンポが心拍と一致していると安らぎが得られやすいためである。
【００７０】
（３）の条件を満たすために、音楽再生部１４２は、心拍情報から算出される被験者の心拍数に応じて音楽の再生ピッチを制御してもよい。そのためには、音楽再生部１４２は、心拍数算出部２８から使用者の心拍数（脈拍数）を取得し、曲の再生ピッチを心拍数に合うように調整すればよい。例えば、３拍子曲の場合には、感覚的テンポは物理的テンポ（実際のテンポ）の０．６６倍であるから、実際のテンポが１０１．６８ＢＰＭである曲の感覚的テンポは６６．９ＢＰＭである。成人の安静心拍数の平均は約６５ＢＰＭであるから、実際のテンポが１０１．６８ＢＰＭである曲を再生する場合には、音楽再生部１４２は、心拍数に応じて曲の再生速度を微調整すればよい。
【００７１】
表示部１５０は、出力部の一例であり、感情誘導部１４０の誘導中に、感情判定部３１が負の感情と正の感情の何れの判定をしたかを定期的に表示し、感情誘導部１４０の誘導が終了した後に、効果判定部３４が算出した正の感情の発生率（達成率）を表示する。表示部１５０は、こうした表示することで、使用中の感情状態及び使用後の感情状態の改善効果を使用者に実感させる。
【００７２】
スピーカ１６０は、音楽再生部１４２が音楽を再生するためのものである。音楽はヘッドホンで使用者に聴かせてもよく、この場合には、予防装置２は、スピーカ１６０に代えてイヤホンジャックを有してもよい。計時部１７０は、検出装置１の計時部５０と同じものである。
【００７３】
図９は、予防装置２の表示画面の例を示す図である。図９に示すように、表示部１５０には、撮像部１１０により撮影された使用者の顔画像１５１が、例えば画面左側に表示される。符号１５２は顔認識部２１により認識された顔領域であり、符号１５３は、脈波を抽出するための測定枠である。画面の左下には、測定の開始及び終了を指示するためのボタン１５４，１５５が表示され、その右隣には、心拍数算出部２８により算出された使用者の脈拍数が表示される（符号１５６）。
【００７４】
画面右上には、呼吸誘導部１４１が呼吸誘導を行うための円形のプログレスバー１５７が表示される。このバーは、例えば、息を吸う期間中に、図中矢印で示すように、黒色の領域が１２時の位置から時間経過とともに時計回りに延びて円上を１周分埋め尽くし、次の息を吐く期間中にも同様に、黒色の領域が１２時の位置から時計回りに１周分延びる。こうしたバーの形状は、円形のものに限らず、例えば直線状のものであってもよい。画面右下には、感情判定部３１が判定した使用者の感情状態が表示され（符号１５８）、この表示は例えば４０秒毎などの一定間隔で更新される。さらに、画面右下には、呼吸誘導部１４１による呼吸誘導及び音楽再生部１４２による音楽再生の終了後に、効果判定部３４が算出した正の感情の発生率（達成率）が表示される（符号１５９）。
【００７５】
図１０は、予防装置２の動作例を示すフローチャートである。まず、撮像部１１０と感情検出部１２０は、検出装置１と同様に使用者の脈波を検出し（Ｓ２１）、心拍数算出部２８は、脈波間隔から使用者の心拍数を算出する（Ｓ２２）。音楽再生部１４２は、Ｓ２２で算出された心拍数と合うように、音楽の再生ピッチを調整する（Ｓ２３）。その上で、呼吸誘導部１４１と音楽再生部１４２は、呼吸誘導と音楽再生を行う（Ｓ２４）。並行して、カオス解析部２５は、Ｓ２１で検出された脈波から最大リアプノフ指数λを算出し（Ｓ２５）、感情判定部３１は、その値を閾値λｔと比較する（Ｓ２６）。
【００７６】
感情判定部３１は、λがλｔ以下である場合（Ｓ２６でＹｅｓ）には負の感情が発生したと判定し、λがλｔよりも大きい場合（Ｓ２６でＮｏ）には正の感情が発生したと判定して、その旨を感情データメモリ３２に記憶する（Ｓ２７，２８）。続いて、感情判定部３１は、最大リアプノフ指数λの値の大小に応じて、使用者の感情状態が「正の感情」、「活動中」、「軽い負の感情」及び「負の感情」の何れの区分に属するかを表示部１５０に表示させる（Ｓ２９）。そして、感情検出部１２０は呼吸誘導部１４１と音楽再生部１４２による誘導を終了するか否かを判定する（Ｓ３０）。終了しない場合（Ｓ３０でＮｏ）にはＳ２１に戻り、終了する場合（Ｓ３０でＹｅｓ）には、効果判定部３４は、正の感情の発生率（達成率）を算出し（Ｓ３１）、その値を表示部１５０に表示させて（Ｓ３２）、一連の処理を終了する。
【００７７】
図１１（Ａ）〜１１（Ｄ）は、感情誘導の有無による正負感情の変動の差異を示すグラフである。各図の横軸ｔは時間（秒）であり、縦軸λは最大リアプノフ指数である。グラフ中の領域Ｒ＋（λ＞０）は正の感情に、領域Ｒ−（λ＜０）は負の感情に、それらの間の領域Ｒ０（λ≒０）は正負の中間の感情に、それぞれ対応する。時刻０で負の感情であった使用者に対し、図１１（Ａ）は呼吸誘導と音楽再生のいずれも行わなかった場合の、図１１（Ｂ）は音楽再生のみを行った場合の、図１１（Ｃ）は呼吸誘導のみを行った場合の、図１１（Ｄ）は呼吸誘導と音楽再生の両方を行った場合の、感情状態の時間変化を示す。図１１（Ｂ）〜１１（Ｄ）では、時刻ｔ１〜ｔ２の長さＴの期間で感情誘導が行われたとする。
【００７８】
図示した例では、１０回の感情判定のうち、図１１（Ａ）では２回、図１１（Ｂ）では８回、図１１（Ｃ）では９回、図１１（Ｄ）では１０回、正の感情と判定されており、その発生率は、それぞれ２０％、８０％、９０％及び１００％である。図１１（Ａ）に示すように、感情誘導がなければ負の感情がほぼ維持されるが、図１１（Ｂ）〜１１（Ｄ）に示すように、感情誘導があると負の感情が正の感情に改善されることが分かる。この改善効果は、音楽再生のみを行った場合の図１１（Ｂ）よりも、呼吸誘導を行った図１１（Ｃ）及び１１（Ｄ）の場合の方がより顕著に現れる。特に、図１１（Ｄ）に示すように、呼吸誘導と音楽再生の両方を行うと、正の感情が持続し易く、感情状態の改善効果は最も高くなる。
【００７９】
このように、感情誘導としては呼吸誘導と音楽再生の両方を行うことが好ましい。ただし、呼吸誘導と音楽再生の一方だけでも感情状態の改善効果は見られるので、予防装置２は、感情誘導部として、呼吸誘導部１４１と音楽再生部１４２の一方のみを有してもよい。
【００８０】
予防装置２では、装置の前に座り、例えば１日１５〜２０分程度、流れる音楽を聴きながら表示に合わせて呼吸するだけでよいため、誰でも使用することができる。予防装置２では、使用期間中の正の感情の発生率がマインドフルネス達成率として表示されるので、使用者が効果を実感し易く、使用者に使用の動機付けを与えることもできる。
【００８１】
呼吸誘導と音楽再生の他にも、例えば塗り絵などの手を動かすだけでできる軽作業を行うと、何も考えずに作業に集中できるため、認知症の予防に効果があると言われている。しかしながら、その軽作業は、難し過ぎても簡単過ぎても、十分な効果が出ないか、逆効果になる場合があるため、使用者に合った難易度のものである必要がある。また、適正な難易度の軽作業であったとしても、それを行うことによる効果は実感し難く、作業を行う動機付けが得られにくい。そこで、以下では、検出装置１のＭＣＩ判定と軽作業を伴う課題の提示とを組み合わせて、使用者が能動的に課題に取り組むことで認知症を予防する感情改善の効果が得られる装置について説明する。
【００８２】
図１２は、予防装置３のブロック図である。予防装置３は、検出装置の一例であり、例えばスマートホン又はタブレット端末などで構成される。予防装置３は、入力部２００と、撮像部２１０と、操作量検出部２１５と、感情検出部２２０と、判定部２３０と、提示部２４０と、表示部２５０と、計時部２６０とを備える。予防装置３は、表示部２５０に課題を表示し、入力部２００を介してその課題を加工させる軽作業を使用者に行わせ、それによって使用者の感情状態を改善させるとともに、軽作業による感情改善の効果を使用者にフィードバックする。
【００８３】
入力部２００は、タッチペン又はマウスであり、使用者が入力操作を行うために使用される。撮像部２１０は、予防装置２の撮像部１１０と同様に、使用者の脈波を検出するために、使用者の皮膚の露出部分を撮影する。入力部２００がマウスである場合には、入力部２００として脈波センサを内蔵するマウスを使用し、撮像部２１０に代えてマウスの脈波センサを使用してもよい。
【００８４】
操作量検出部２１５は、入力部２００による使用者の入力操作の量を検出する。言い換えると、操作量検出部２１５は、課題の提示中に表示部２５０上に表示された図形などに対する使用者の作業による動き数を検出する。入力操作の量（動き数）とは、例えば、入力部２００であるタッチペン又はマウスの単位時間毎の座標移動回数である。
【００８５】
感情検出部２２０は、検出装置１のものと同じ顔認識部２１、脈波抽出部２２、間隔検出部２３、脈波メモリ２４及びカオス解析部２５を備え、提示部２４０による課題の提示中（軽作業中）に、例えば数十秒間隔で、脈波間隔の最大リアプノフ指数を算出する。
【００８６】
判定部２３０は、感情判定部３１と、感情データメモリ３２と、効果判定部３５とを備える。感情判定部３１及び感情データメモリ３２は予防装置２のものと同じである。
【００８７】
効果判定部３５は、変動判定部の一例であり、提示部２４０が課題を提示している期間（作業開始から終了までの作業期間）における使用者の正負感情の変動の有無を判定する。そのために、効果判定部３５は、予防装置２の効果判定部３４と同様に、作業期間中における正の感情の発生率を算出し、その値を、予防装置３の使用による正の感情の発生率（負の感情から正の感情への改善度）として、表示部２５０に表示させる。すなわち、効果判定部３５は、使用者が予防装置３を使用することで感情状態がどの程度改善されたかを数値化して、使用者にフィードバックする。
【００８８】
提示部２４０は、複数の課題を記憶する記憶部である課題メモリ２４１を有し、課題メモリ２４１に記憶されている課題のうちの１つを選択して、表示部２５０に表示させる。これらの課題は、何れも、使用者に入力操作を行わせて表示部２５０上の表示物を加工させるものであり、難易度が互いに異なる。
【００８９】
図１３（Ａ）〜１３（Ｆ）は、予防装置３が提示する課題の例を示す図である。提示部２４０は、課題として、例えば、表示部２５０上に表示された複数の輪郭線で区分される複数の領域を着色する塗り絵の課題を提示するか、あるいは、表示部上に表示された文字を表示部上に書き写す書写の課題を提示する。図１３（Ａ）〜１３（Ｃ）は塗り絵の課題の例を示し、図１３（Ｄ）〜１３（Ｆ）は書写の課題の例を示す。使用者は、例えば、塗り絵の場合には、マウス操作によって各領域を着色し、書写の場合には、表示された文字をタッチペンでなぞる。
【００９０】
塗り絵の課題は図１３（Ａ）、１３（Ｂ）、１３（Ｃ）の順に、書写の課題は図１３（Ｄ）、１３（Ｅ）、１３（Ｆ）の順に難易度が高くなる。塗り絵の場合には、課題の難易度は、例えば、画面当たりの線数、輪郭線数又は最大線密度で定義される。図１３（Ａ）〜１３（Ｃ）の例では、輪郭線数ｎＬは、それぞれ５本、１２本、約６５本である。書写の場合には、課題の難易度は、例えば、下地として表示される薄文字の濃さで定義される。
【００９１】
提示部２４０が提示する課題として適正なものは、例えば数十秒〜数分程度持続する作業期間を要するものであり、例えば、塗り絵と書写（写経）の他にも、折り紙、クロスワードパズルなどが挙げられる。特に、塗り絵と書写は電子化し易いため、タブレット端末上での提示に適している。しかしながら、例えば数秒で回答できるクイズなどは、感情状態の判定が難しいため、課題としては適していない。足を動かす運動も、心拍間隔に基づく感情判定ができなくなるため、課題としては適していない。このため、提示部２４０の課題としては、足を使わず、着座したまま、手の動きだけでできるものが好ましい。
【００９２】
図１４（Ａ）〜１４（Ｃ）は、課題の難易度による正負感情と入力操作の量の変動の差異を示すグラフである。各図では、上側に、使用者の作業中に感情検出部２２０が算出した最大リアプノフ指数の時間変化を示し、下側に、操作量検出部２１５が検出した入力操作の量（操作量）を示す。各図の横軸ｔは時間（秒）であり、縦軸λ，Ｎは最大リアプノフ指数及び操作量である。グラフ中の領域Ｒ＋は正の感情に、領域Ｒ−は負の感情に、領域Ｒ０は正負の中間の感情に、それぞれ対応する。図１４（Ａ）〜１４（Ｃ）は、それぞれ、被験者に図１３（Ａ）〜１３（Ｃ）の塗り絵の課題が提示された場合の感情状態と操作量の時間変化を示す。図１３（Ａ）の塗り絵は難易度が低く被験者にとって簡単過ぎ、図１３（Ｂ）の塗り絵は被験者にとって適度な難易度であり、図１３（Ｃ）の塗り絵は難易度が高く被験者にとって難し過ぎるとする。
【００９３】
図１４（Ａ）〜１４（Ｃ）に示す結果から次のことが分かる。課題が簡単過ぎると、作業中に、操作量は安定して高いが、集中しなくてもできてしまうため、感情状態が負の感情から正の感情に転換され難い。課題の難易度が適正であると、作業中に、操作量は安定して高く、負の感情が正の感情に転換され、正の感情が維持される。課題が難し過ぎると、作業中の操作量と感情状態にバラつきがあり、課題中の難しい箇所で手が止まるため、操作量が一時的に低下し、全体的に正の感情が続いていてもその前後だけ負の感情になる（図１４（Ｃ）中の時刻ｔａ，ｔｂ）。
【００９４】
そこで、提示部２４０は、課題の提示中の期間に感情判定部３１により判定される負の感情又は正の感情の発生頻度と、操作量検出部２１５により検出される入力操作の量とに応じて、異なる難易度の課題を繰り返し提示する。すなわち、提示部２４０は、感情データメモリ３２に記憶されている使用者の正負感情の発生パターンと、操作量とから、使用者にとって適正な難易度を判定し、課題メモリ２４１内の複数の課題のうちで、新たな課題としてその判定した難易度のものを提示する。
【００９５】
例えば、操作量が所定回数以上であり、操作量に係わらず負の感情が所定頻度以上で発生している場合には、提示部２４０は、課題が簡単過ぎて感情改善の効果が出ていないと判定し、新たな課題として、より難易度の高いものを提示する。操作量が所定回数以上であり、操作量に係わらず正の感情が所定頻度以上で発生している場合には、提示部２４０は、課題の難易度が適正であり感情改善の効果が出ていると判定し、新たな課題として、前回と同じ難易度のものを提示する。操作量が所定回数以上である状態から所定回数以下に変化したときのみ負の感情の発生頻度が相対的に高くなる場合には、提示部２４０は、課題が難し過ぎてストレスになっていると判定し、新たな課題として、より難易度の低いものを提示する。
【００９６】
表示部２５０は、出力部の一例であり、提示部２４０が提示する課題を表示し、その課題が終了した後に、効果判定部３５が算出した正の感情の発生率を表示する。表示部２５０は、こうした表示することで、予防装置３の使用による感情状態の改善効果を使用者に実感させる。表示部２５０は、課題の提示中（使用者の作業中）に、感情判定部３１が負の感情と正の感情の何れの判定をしたかを定期的に表示することで、使用中の感情状態を使用者に報知してもよい。計時部２６０は、検出装置１の計時部５０と同じものである。
【００９７】
図１５は、予防装置３の動作例を示すフローチャートである。まず、提示部２４０は、表示部２５０に課題を提示する（Ｓ４１）。そして、撮像部２１０と感情検出部２２０は、検出装置１と同様に使用者の脈波を検出し（Ｓ４２）、カオス解析部２５は、Ｓ４２で検出された脈波から最大リアプノフ指数λを算出し（Ｓ４３）、感情判定部３１は、その値を閾値λｔと比較する（Ｓ４４）。
【００９８】
感情判定部３１は、λがλｔ以下である場合（Ｓ４４でＹｅｓ）には負の感情が発生したと判定し、λがλｔよりも大きい場合（Ｓ４４でＮｏ）には正の感情が発生したと判定して、その旨を感情データメモリ３２に記憶する（Ｓ４５，４６）。また、操作量検出部２１５は、入力部２００による使用者の入力操作の量を検出する（Ｓ４７）。次に、提示部２４０は、Ｓ４５，４６で記憶された使用者の正負感情の発生パターンとＳ４７で検出された入力操作の量とから、次回使用者に提示する課題の難易度を判定する（Ｓ４８）。そして、提示部２４０は課題の提示を終了するか否かを判定する（Ｓ４９）。終了しない場合（Ｓ４９でＮｏ）にはＳ４１に戻り、終了する場合（Ｓ４９でＹｅｓ）には、効果判定部３４は、正の感情の発生率を算出し（Ｓ５０）、その値を表示部２５０に表示させて（Ｓ５１）、一連の処理を終了する。
【００９９】
予防装置３は、使用者にとって適正な難易度の軽作業を伴う課題を提示するため、使用者はその課題に集中することができ、その結果、負の感情のことを考えなくなるので、認知症の予防に効果がある。
【０１００】
検出装置の検出部は、画像撮影により脈波を検出するものに限らず、非接触での心拍検知が可能なマイクロ波ドップラー方式のもの、又は常時装着の電極方式もしくは光電方式のものなどであってもよい。
【０１０１】
図１６（Ａ）〜１６（Ｄ）は、検出部１０ｂ，１０ｃを示す図である。図１６（Ａ）〜１６（Ｃ）に示す検出部１０ｂは、心電波を検知するための１組の電極１４Ｌ，１４Ｒを有する。図１６（Ａ）及び１６（Ｂ）に示すように、電極１４Ｌ，１４Ｒは、検出部１０ｂの本体ケースの左側側面と右側側面に設けられている。図１６（Ｃ）に示すように、被験者が両手で検出部１０ｂの本体ケースをつかみ、左手７０Ｌと右手７０Ｒが電極１４Ｌ，１４Ｒにそれぞれ触れている間に、検出部１０ｂは、被験者の心電波を連続して検知する。このように、心拍情報を検出する検出部は、画像撮影により脈波を検出するものに限らず、電極を有するセンサであってもよい。さらに、検出部１０ｂなどの電極型のセンサでは、被験者が長時間把持し易いように、例えば電極の上面にバンドを設けてもよい。
【０１０２】
図１６（Ｄ）に示す検出部１０ｃは、腕時計型の脈波センサである。検出部１０ｃは、時計の裏面に脈波センサ１４を有し、時計のバンド１６を手７０に着けることで脈波を検知し、測定値を時計の表示部１５に表示する。検出部１０ｃのように腕時計型の形態であれば、被験者が違和感なくセンサを身に着けて、心拍情報を検出することができる。
【図１】
2020168415.tif 000005
【図２】
2020168415.tif 000006
【図３】
2020168415.tif 000007
【図４】
2020168415.tif 000008
【図５】
2020168415.tif 000009
【図６】
2020168415.tif 000010
【図７】
2020168415.tif 000011
【図８】
2020168415.tif 000012
【図９】
2020168415.tif 000013
【図１０】
2020168415.tif 000014
【図１１】
2020168415.tif 000015
【図１２】
2020168415.tif 000016
【図１３】
2020168415.tif 000017
【図１４】
2020168415.tif 000018
【図１５】
2020168415.tif 000019
【図１６】
2020168415.tif 000020
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
被験者の心拍情報を取得する取得部と、
前記被験者の心拍間隔に基づいて、前記被験者の感情が脳疲労、不安もしくは抑うつがある負の感情であるか、又は脳疲労、不安及び抑うつがない正の感情であるかを判定する感情判定部と、
前記被験者の意識を集中させて前記被験者を前記正の感情に誘導する感情誘導部と、
表示部と、を有し、さらに、
前記感情誘導部は、前記被験者が息を吸いかつ吸う速度よりも遅く息を吐く深呼吸を行うように促すことで、前記被験者の意識を呼吸に集中させる呼吸誘導部を有し、
前記呼吸誘導部は、前記表示部への表示により、息を吸うタイミングと息を吐くタイミングとを前記被験者に報知する、
ことを特徴とする検出装置。
【請求項２】
息を吐く期間が、息を吸う期間の２〜３倍の時間となる、請求項１に記載の検出装置。
【請求項３】
前記表示部への表示は、息を吸う期間と息を吐く期間の最初から最後まで徐々に長さが変化するバー表示である、請求項１又は２に記載の検出装置。
【請求項４】
前記感情誘導部は、音楽再生部をさらに備え、
前記音楽再生部は、前記取得部から前記被験者の心拍数を取得し、曲の再生ピッチを心拍数に合うように調整する、
請求項１から３のいずれか一項に記載の検出装置。
【請求項５】
前記音楽再生部は、フレーズ周期が前記呼吸誘導部による誘導呼吸の周期よりも長い曲を再生する、請求項４に記載の検出装置。